(57)【要約】【課題】リモコンの電池を長寿命化しつつ、複数のリモコンから空気調和機本体への運転操作が重複しても、受信が混乱せずに、確実かつ適切に運転操作が行えるようにする。【解決手段】リモコン１４ａ，１４ｂは、操作部９４ａ，９４ｂと、液晶表示部９２ａ，９２ｂと、リモコン送受信部９０ａ，９０ｂと、リモコン制御部９６ａ，９６ｂとを備え、メインリモコン１４ａと、サブリモコン１４ｂで構成され、エアコン１２ａは、エアコン送受信部８６ａと、エアコン制御部８４ａとを備え、エアコン制御部８４ａは、複数のリモコン１４ａ，１４ｂの一つから信号を受信後、一定の期間は操作禁止期間を設け、その間に信号を送信したリモコンに対し操作禁止期間中を示す信号を送信し、これを受信したサブリモコン１４ｂのリモコン制御部９６ｂは、エアコン１２ａを操作する操作画面に移行する際に液晶表示部９２ｂの操作画面に操作禁止中の表示を行うようにする。【選択図】図３
2015106760.tif 000002
【特許請求の範囲】
【請求項１】
空気調和機本体と、該空気調和機本体を運転操作可能な複数の無線リモコンとを備えた空気調和機であって、
前記空気調和機本体は、
前記無線リモコンとの間で双方向通信を行う本体送受信部と、
前記本体送受信部で受信した前記無線リモコンからの信号に基づいて空調制御を行う本体制御部と、
を備え、
前記無線リモコンは、
前記空気調和機本体を運転操作するための操作部と、
前記操作部による操作内容および前記空気調和機本体の運転状態や通信状態を表示する表示部と、
前記空気調和機本体との間で双方向通信を行うリモコン送受信部と、
前記無線リモコンを制御するリモコン制御部と、
を備え、
前記本体制御部は、前記本体送受信部を介して前記複数の無線リモコンの一つと通信を行ったときに所定時間は他の無線リモコンからの操作を前記空気調和機本体が受け付けない操作禁止期間を設定し、前記操作禁止期間中に他の無線リモコンからの信号を受信した場合に前記他の無線リモコンへ前記本体送受信部を介して操作禁止期間中であることを示す信号を送信するものであり、
前記複数の無線リモコンは、前記空気調和機本体に対し全ての項目の運転操作が行える一つのメインリモコンと、前記空気調和機本体に対し限られた項目のみの運転操作が行える少なくとも一つのサブリモコンとからなり、
前記サブリモコンは、前記空気調和機本体を操作するための信号を送信する際、前記空気調和機本体を操作する操作画面を表示すると共に前記空気調和機本体との間で通信を行い、前記空気調和機本体から前記操作禁止期間中であることを示す信号を受信した場合、前記表示部に操作禁止期間中との表示を行うことを特徴とする空気調和機。
【発明の詳細な説明】
【技術分野】
【０００１】
本発明は、複数の無線リモコンと空気調和機本体との間で双方向通信しながら運転操作を行う空気調和機に関する。
【背景技術】
【０００２】
従来の空気調和機では、ＲＦ（Radio  Frequency）モジュールを用いて無線リモコンと空気調和機本体との間で双方向通信を行い、空気調和機本体を運転操作するようにした空気調和機が知られている（例えば、特許文献１参照）。この無線リモコンは、赤外線リモコンのように空気調和機本体に送信部を向けて使用する必要はなく、空気調和機本体が設置されている部屋と別の部屋からも操作が可能である。特許文献１は、一台の空気調和機本体に対して、一台の無線リモコンをメインリモコンとして、また他の複数の無線リモコンをサブリモコンとして登録する技術に係るものである。ここで、空気調和機本体と無線リモコンにお互いを通信を行うべき相手だと認識させるため、機器固有の識別番号を用いてお互いを登録する操作を、ペアリングという。
【０００３】
このように、一台の空気調和機本体に対して複数のリモコンをペアリングすることにより、リモコンを持ち歩かずに別の部屋の空調設定が可能になる。一台の無線リモコンは複数の空気調和機本体との間でペアリングできるが、メインリモコンについては、一台の空気調和機本体をメイン機として登録し、メイン機以外の空気調和機本体はサブ機として登録される。このように、一台のリモコンに対して複数の空気調和機本体をペアリングすることにより、外出する際などに全ての部屋の空気調和機本体をまとめて停止することが可能となる。
【０００４】
また、従来の制御システムでは、リモコンの消費電力を抑制しながら操作対象機器の状態を常時把握できるものがあった（例えば、特許文献２参照）。
【０００５】
また、従来の空気調和機では、複数のリモコン間で通信を行い、一台のリモコンが空気調和機本体との間で通信を行っている場合に、他のリモコンが空気調和機本体との間で通信を行えないようにするものがあった（例えば、特許文献３参照）。
【先行技術文献】
【特許文献】
【０００６】
【特許文献１】特開２０１３−１０４６４５号公報
【特許文献２】国際公開第２０１０／０２６７１７号
【特許文献３】特開平０３−２１７７４９号公報
【発明の概要】
【発明が解決しようとする課題】
【０００７】
しかしながら、特許文献１に示す空気調和機にあっては、赤外線リモコンに比べて無線リモコンの消費電力が大きいことから、リモコンの電池寿命を長く持たせるため、リモコン操作後、一定時間が経過すると液晶表示や空気調和機本体の運転情報を知るための通信に必要な消費電力を低減していた。このため、メインリモコンは、空気調和機本体の運転情報を常時更新することができず、ユーザが運転情報確認ボタン（お知らせボタン）を押さないとメインリモコンの表示内容が更新されないことから、リモコンの電力が復帰しても液晶表示内容が空気調和機本体の運転内容と一致しないことがあり、適切な運転操作が行えなかった。
【０００８】
また、特許文献２に示す制御システムにあっては、リモコンの表示部の表示を経過時間に応じてオフし、ユーザがリモコンを持ち上げたりした場合などに操作対象機器に対して状態情報を要求し、取得した動作状況をリモコンの表示部に表示していた。しかしながら、この制御システムの操作対象機器は、テレビ受像機などの映像表示装置や録画機能を持ったレコーダなどであり、複数のリモコンから同時に操作されることを想定していないため、複数のリモコンからの操作が重複した場合には対処できなかった。
【０００９】
さらに、特許文献３に示す空気調和機にあっては、複数のリモコンが同時に操作された場合に、空気調和機本体の受信に混乱が生じるのを防ぐため、リモコン同士で通信を行う必要があったが、複数のリモコンを常時通信状態にしなければならず、リモコンの電池が消耗し、電池寿命が短くなる。
【００１０】
本発明は、上記に鑑みてなされたものであって、リモコンの電池を長寿命化しつつ、複数のリモコンから空気調和機本体への運転操作が重複しても、受信が混乱することがなく、確実かつ適切に運転操作を行うことができる空気調和機を提供することを目的とする。
【課題を解決するための手段】
【００１１】
上述した目的を達成するために、本発明の空気調和機は、空気調和機本体と、該空気調和機本体を運転操作可能な複数の無線リモコンとを備えた空気調和機であって、前記空気調和機本体は、前記無線リモコンとの間で双方向通信を行う本体送受信部と、前記本体送受信部で受信した前記無線リモコンからの信号に基づいて空調制御を行う本体制御部と、を備え、前記無線リモコンは、前記空気調和機本体を運転操作するための操作部と、前記操作部による操作内容および前記空気調和機本体の運転状態や通信状態を表示する表示部と、前記空気調和機本体との間で双方向通信を行うリモコン送受信部と、前記無線リモコンを制御するリモコン制御部と、を備え、記本体制御部は、前記本体送受信部を介して前記複数の無線リモコンの一つと通信を行ったときに所定時間は他の無線リモコンからの操作を前記空気調和機本体が受け付けない操作禁止期間を設定し、前記操作禁止期間中に他の無線リモコンからの信号を受信した場合に前記他の無線リモコンへ前記本体送受信部を介して操作禁止期間中であることを示す信号を送信するものであり、記複数の無線リモコンは、前記空気調和機本体に対し全ての項目の運転操作が行える一つのメインリモコンと、前記空気調和機本体に対し限られた項目のみの運転操作が行える少なくとも一つのサブリモコンとからなり、前記サブリモコンは、前記空気調和機本体を操作するための信号を送信する際、前記空気調和機本体を操作する操作画面を表示すると共に前記空気調和機本体との間で通信を行い、前記空気調和機本体から前記操作禁止期間中であることを示す信号を受信した場合、前記表示部に操作禁止期間中との表示を行うことを特徴とする。
【発明の効果】
【００１２】
本発明の空気調和機によれば、複数の無線リモコンから同時に操作されても受信信号の混乱を防ぐことができると共に、サブリモコンから空気調和機本体を操作するための操作画面を表示する際に通信を行い、操作禁止期間中のため信号が受け付けられなったことを無線リモコンに通知するので、信号が受け付けられなった事実とその理由がわかり、確実かつ適切な運転操作を行うことができる。
【図面の簡単な説明】
【００１３】
【図１】図１は、本発明の一実施例にかかる空気調和機の空気調和機本体とリモコンとの関係を示す概略図である。
【図２−１】図２−１は、図１のリモコンの外観図である。
【図２−２】図２−２は、図２−１のリモコンの詳細設定ボタンを示す外観図である。
【図３】図３は、図１の空気調和機の概略構成を示すブロック図である。
【図４】図４は、空気調和機本体とメインリモコンとサブリモコンとの間で送受信される信号の手順を示す図である。
【図５】図５は、図４の操作禁止期間中にメインリモコンから設定変更操作を行った場合の液晶表示部の表示遷移図である。
【図６】図６は、図４の操作禁止期間中にサブリモコンから設定変更操作を行った場合の液晶表示部の表示遷移図である。
【発明を実施するための形態】
【００１４】
以下に、本発明にかかる空気調和機の実施例を図面に基づいて詳細に説明する。なお、この実施例によりこの発明が限定されるものではない。
【００１５】
［空気調和機の構成説明］
まず、本発明の一実施例にかかる空気調和機の空気調和機本体とリモコンとの関係を示す概略構成について説明する。図１に示すように、本発明に係る空気調和機１０は、複数の部屋ＲＡ、ＲＢに配置された空気調和機本体（以下、エアコン）１２ａ、１２ｂと、図示しない室外機と、無線リモコンとしてのリモコン１４ａ、１４ｂとで構成され、各エアコン１２ａ、１２ｂおよび各リモコン１４ａ、１４ｂの機能は共通である。
【００１６】
この空気調和機１０は、エアコンとリモコンのそれぞれに搭載されたＲＦモジュールによる双方向無線通信を利用し、例えば、リモコン１４ａからエアコン１２ａ，１２ｂに対してそれぞれ遠隔操作や各種設定を行うことができる。また、リモコン１４ａは、エアコン１２ａ，１２ｂの運転状態を示す状態情報を記憶する図示しない記憶部と、それを表示する図３に示す液晶表示部９２ａとを有している。リモコン１４ａは、後述する信号の送受信によって、エアコン１２ａ，１２ｂの運転状態を示す状態情報を受信すると、受信した状態情報を新たな運転状態を示す情報として図示しない記憶部に記憶すると共に、液晶表示部９２ａに表示させ、運転管理や各種設定に利用する。他のリモコン１４ｂの場合も同様である。運転状態を示す状態情報には、冷房や暖房といった運転モードの他に、設定温度、風向や消費電力、およびエアコンのエラー情報等の情報を含む。
【００１７】
リモコン１４ａの表面には、図２−１に示すように、運転情報や設定情報などをドットマトリクスで表示するＬＣＤ（液晶ディスプレイ）や有機ＥＬ（有機エレクトロルミネッセンス）などで構成された表示部１６ａと、各種の運転操作を受け付ける多数の操作ボタン４４ａとが配置されている。操作ボタン４４ａには、気流調節を行う際の選択に用いる十字ボタン１８ａ、選択した内容を決定する決定ボタン２０ａ、各種運転モードに適した既定の風向や風量に自動設定する自動設定モード用のおまかせボタン２２ａ、風向や風量をユーザが任意に手動設定する手動設定モード用のおこのみボタン２４ａ、運転開始と運転停止を行う運転／停止ボタン２６ａ、上下の矢印ボタンで設定温度を変更する温度ボタン２８ａ、風量の変更設定を行う風量ボタン３０ａ、現在の室温や電気代などの運転情報をエアコン１２ａに要求してエアコン１２ａから受信した状態情報を表示部１６ａに表示させるお知らせボタン３２ａ、冷房運転モードでの運転開始や他の運転モードから冷房運転モードに切り換える冷房ボタン３４ａ、暖房運転モードでの運転開始や他の運転モードから暖房運転モードに切り換える暖房ボタン３６ａ、除湿運転モードでの運転開始や他の運転モードから除湿運転モードに切り換える除湿ボタン３８ａ、および、送風運転モードでの運転開始や他の運転モードから送風運転モードに切り換える送風ボタン４０ａなどがある（リモコン１４ｂの場合も同様であるので、重複説明を省略する。なおリモコン１４ｂが備えている構成については、図２−１において添え字ａの代わりにｂを付す。）。
【００１８】
リモコン１４ａの蓋４２ａを開けると、図２−２に示すように、中には詳細設定ボタンが配置されている。詳細設定ボタンには、環境温度に応じて暖房運転か冷房運転かを自動的に選択する自動運転モードに切り換える自動運転ボタン４６ａ、睡眠時に適した温度制御を行いながら所定時間が経過すると運転を停止するおやすみボタン４８ａ、洗濯物などの乾燥に用いるランドリーボタン５０ａ、急速な暖房や冷房運転を行うハイパワーボタン５２ａ、インバータ駆動によるピーク電流を抑えて運転することで省パワー運転を図る電流カットボタン５４ａ、人感センサにより人が不在になったことを検出した場合にエアコンの運転を停止あるいはセーブする不在ＥＣＯボタン５６ａ、ユーザにより設定された時刻によってエアコンの動作を制御するタイマーボタン５８ａ、各種機能の設定を行う機能ボタン６０ａ、機能選択を行うカーソルを移動させる上昇ボタン６２ａと下降ボタン６４ａ、設定を取り消す取消ボタン６６ａ、設定を確定する確定ボタン６８ａ、サブ機として登録されているエアコンの一覧表示を行う登録エアコンボタン７０ａ、および、子供による誤操作を防ぐチャイルドロックボタン７２ａなどがある。
【００１９】
エアコン１２ａは、図３に示すように、リモコン１４ａと双方向無線通信を行うＲＦモジュールからなるエアコン送受信部８６ａ、ＬＥＤ表示部８０ａ、本体操作部としての操作部８２ａ、時間管理を行う計時専用のＲＴＣ（リアル・タイム・クロック）８８ａ、およびこれらを制御するエアコン制御部８４ａを有している。このエアコン制御部８４ａは、受信したリモコン１４ａ，１４ｂからの運転操作に関する設定変更データに基づいてエアコン１２ａ，１２ｂの各部を制御すると共に、エアコン１２ａ，１２ｂの現在の運転情報のデータを保持する図示しない本体記憶部を含んでいる（エアコン１２ｂの場合も同様であるので、重複説明を省略する。なおエアコン１２ｂが備えている構成については、図３において添え字ａの代わりにｂを付す）。
【００２０】
ＬＥＤ表示部８０ａは、メイン機用ＬＥＤとサブ機用ＬＥＤとを有しており、それぞれ登録済みの場合には消灯し、未登録の場合には点灯するようにエアコン制御部８４ａに制御される。また、操作部８２ａには、メイン機、サブ機としてリモコン１４ａ，１４ｂに登録する際に用いる図示しないペアリング登録ボタンの他、エアコンの基本的な操作や設定が行える操作ボタンを有している。この操作部８２ａからの操作入力は、登録されたリモコンからの信号入力や信号入力によって設定される操作禁止期間よりも優先的に処理される。
【００２１】
一方、リモコン１４ａは、図３に示すように、エアコン１２ａのエアコン送受信部８６ａ、あるいは、エアコン１２ｂのエアコン送受信部８６ｂと双方向無線通信を行うＲＦモジュールからなるリモコン送受信部９０ａ、エアコンの運転状態を示す状態情報（運転時間、消費電力、運転モード等）を表示する液晶表示部９２ａ、エアコンを運転操作する操作部９４ａ、時間管理を行う計時専用のＲＴＣ（リアル・タイム・クロック）９８ａ、およびこれらを制御するリモコン制御部９６ａを有している。このリモコン制御部９６ａによってペアリングしている自室エアコンまたは他室エアコンを選択することで、それぞれのエアコンとの間で双方向無線通信が可能となっている。なお、本実施例では、リモコン１４ａの操作部９４ａの操作が行われてから、一定時間後（例えば、３０秒後）に供給電力を低下させて液晶表示部９２ａの表示を消し、リモコン送受信部９０ａの動作をオフすることで、使用する電池の消耗を防ぎ、電池の長寿命化を図っている。液晶表示部（ＬＣＤ）９２ａの表示を消すＬＣＤ消灯時間の計時は、ＲＴＣ９８ａにより行われる。リモコン１４ａがエアコン１２ａあるいはエアコン１２ｂとの間で通信を再開するには、リモコン１４ａの液晶表示部９２ａの表示が消え、リモコンの送受信部９０ａの動作がオフになった状態から操作部９４ａが操作されると、リモコン制御部９６ａは、ボタン操作をトリガーとして液晶表示部９２ａの表示を再開させ、リモコンの送受信部９０ａの動作をオンするように電源供給を再開させると共に、操作ボタンに応じた操作を行う。
【００２２】
なお、エアコン１２ａ，１２ｂのエアコン制御部８４ａ，８４ｂと、リモコン１４ａ，１４ｂのリモコン制御部９６ａ，９６ｂは、ペアリング設定機能をそれぞれ備えている。このペアリング設定機能には、複数のエアコン１２ａ，１２ｂと複数のリモコン１４ａ，１４ｂのうちの一対、例えばエアコン１２ａとリモコン１４ａをメイン機（自室用）として登録するメイン機登録機能（図３中の実線矢印）と、他のリモコン１４ｂに対してメイン機として登録されているエアコン１２ｂを、リモコン１４ａに対してサブ機（例えば他室用）として登録するサブ機登録機能（図３中の破線矢印）とを有するものである。つまり、このペアリング設定機能によれば、例えば複数のエアコン１２ａ，１２ｂと複数のリモコン１４ａ，１４ｂのうちの一対をメイン機として登録するとともに、メイン機として登録されているエアコン（またはリモコン）と他のリモコン（またはエアコン）をサブ機として登録することができる。図３に示すように、リモコン１４ａ，１４ｂは、それぞれに対してメイン機登録されたエアコン１２ａ，１２ｂとの間に実線の矢印で結ばれ、メインリモコンと称される。また、リモコン１４ａ，１４ｂは、それぞれに対してサブ機登録されたエアコン１２ａ，１２ｂとの間に破線の矢印で結ばれ、サブリモコンと称される。例えば、エアコン１２ａをメイン機として登録するリモコン１４ａは、エアコン１２ａに対してはメインリモコンとなるが、エアコン１２ｂに対してはサブ機として登録するためサブリモコンとなる。また、エアコン１２ｂをメイン機として登録するリモコン１４ｂは、エアコン１２ｂに対してはメインリモコンとなるが、エアコン１２ａに対してはサブ機として登録するためサブリモコンとなる。このように、メイン機登録されたエアコンに対するメインリモコンは、全ての設定項目について設定変更が可能であるが、サブ機登録されたエアコンに対するサブリモコンは、運転／停止ボタン２６ａ，２６ｂによる運転／停止操作の他、温度ボタン２８ａ，２８ｂによる温度調節などに限定され、運転モード（冷房、暖房、除湿、送風など）の設定変更ができないようになっている。
【００２３】
上記した空気調和機は、図３に示すように、例えばリモコン１４ａとエアコン１２ａあるいはエアコン１２ｂとの間で無線による双方向通信を行うことで、リモコン１４ａからエアコン１２ａ，１２ｂに対して運転操作を行ったり、エアコン１２ａ，１２ｂの運転状態を示す状態情報を受信して表示を更新したりすることができる。本実施例における空気調和機は、リモコンが最後に操作されてから一定時間（ここでは、３０秒）が経過すると、液晶表示部９２ａの表示を消し、リモコン１４ａの送受信部９０ａの動作をオフする。そして、この状態からリモコン１４ａの操作部９４ａのいずれかのボタンが操作されると（カラ打ち）、リモコン１４ａの制御部９６ａは、液晶表示部９２ａの表示を再開し、リモコンの送受信部９０ａの動作をオンする。リモコン１４ａは、この状態から再度操作部９４ａのボタン（例えば、温度ボタン２８ａ）が操作されると（本操作）、温度設定を変更するための設定変更データをエアコン１２ａに対し送信する。エアコン１２ａは、この設定変更データを受信すると、設定変更データを受信したことをリモコン１４ａに知らせるデータ受信完了信号をリモコン１２ａ側に送信する。そして、リモコン１４ａは、このデータ受信完了信号を受信すると、エアコン１２ａの最新の運転状態示す状態情報を送信するように要求する状態情報送信要求信号をエアコン１２ａに送信する。これに対し、エアコン１２ａは、エアコン制御部８４ａ内の不図示の本体記憶部に格納されている最新の状態情報をリモコン１４ａに送信する。リモコン１４ａは、エアコン１２ａの状態情報を受信すると、状態情報を受信したことをエアコン１２ａに知らせる情報受信完了信号をリモコン１２ａに送信する。
【００２４】
このように、リモコン１４ａは、液晶表示部９２ａの表示が消え、送受信部９０ａの動作がオフされた状態から、操作部９４ａが操作されて各部に電源供給されると、設定変更データをエアコンに送信し、エアコンの運転状態を示す状態情報を要求することで、リモコン１４ａの液晶表示部９２ａの表示をエアコン１２ａの最新の状態情報と一致するよう更新することができる。このため、リモコン１４ａの液晶表示部９２ａの表示が消え、送受信部９０ａの動作がオフされている間に、他のリモコン１４ｂがエアコン１２ａに対して設定変更データを送信し、設定が変更されたとしても、リモコン１４ａを操作する際に最新の運転状態を表示することができる。そして、リモコンは、一定時間操作されないとリモコンの電力を落し、リモコン１４ａを操作する時だけ液晶表示部９２ａの表示を再開させ、送受信部９０ａを動作させるため、電池の消耗が少なく長寿命化することができる。例えば、ＲＦモジュールを用いて常時電源供給（単三アルカリ電池２本）する無線リモコンの場合は、電池寿命が１週間程度しか持たなかった。これに対し、本実施例の空気調和機のように、リモコンを操作する時だけ電源供給（単三アルカリ電池２本）するように構成した無線リモコンの場合は、電池寿命を１年程度まで延ばすことができる。リモコン１４ｂの効果もこれと同様である。
【００２５】
エアコン１２ａのＲＴＣ８８ａは、時間を計時することができる。例えば、エアコン１２ａのエアコン制御部８４ａは、例えば図４に示すように、リモコン（以下、サブリモコンという）１４ｂが設定変更データを送信し（ステップＳ１０）、設定変更データの受信が完了したことをリモコン１２ｂ側に知らせるデータ受信完了信号を送信してから（ステップＳ１２）、２分２０秒間は操作禁止期間とし、この間に他のリモコン（以下、メインリモコンという）１４ａから設定変更データが送信されても（ステップＳ２０）受け付けないようにする。操作禁止期間は、ユーザーが一つのリモコンを用いてエアコンの設定変更を行った後、設定をやり直そうとした場合に、他のリモコンからの操作が割り込まないように、操作終了後所定時間操作禁止を維持することで、初めに操作信号を送信してきたリモコンに対してエアコンを操作する権利を確実に与えることができる。また、操作禁止期間は、空気調和機の空調制御で用いられる圧縮機の運転が、圧縮機の停止後所定時間（待機時間）を経ずに開始されるまでの間に操作権が他のリモコンに移らないようにするもので、圧縮機が起動準備を行っている間（特に運転モードが冷房から暖房に切り換わった際など）に、不意に逆の操作が行われるのを排除する意味合いがある。
【００２６】
このため、操作禁止期間の長さは、リモコンが一定時間操作されないとリモコンの電力を落とし、液晶表示部（ＬＣＤ）９２ａを消灯するＬＣＤ消灯時間（ここでは、３０秒間）よりも長く設定することで、設定のやり直しを操作する権利を確実に与えることができる。また、操作禁止期間の長さは、少なくとも圧縮機の運転が開始されるまでの待機時間を２分間とした場合に、少なくともこれと同じか、これよりも長めに設定する必要がある。そこで、本実施例では、操作禁止期間の長さを２分２０秒に設定している。なお、操作禁止期間の長さは、これに限定されず、状況に応じて適宜変更することができる。
【００２７】
［空気調和機の動作説明］
本実施例に係る空気調和機は、以上のように構成され、以下動作を図４〜図６を用いて説明する。図４では、空気調和機本体としてのエアコン１２ａに対して、空気調和機本体をサブ機として登録するサブリモコン１４ｂと、空気調和機本体をメイン機として登録するメインリモコン１４ａとが同様のタイミングで設定変更操作を行った場合の信号の手順を示している。
【００２８】
まず、サブリモコン１４ｂは、温度設定を変更するための設定変更データをエアコン１２ａに対し送信する（ステップＳ１０）。エアコン１２ａは、この設定変更データを受信すると、設定変更データを受信したことを知らせるデータ受信完了信号をリモコン１４ｂに送信する。この時、エアコン１２ａは、サブリモコン１４ｂ以外の機器からの操作を受け付けない操作禁止期間（２分２０秒間）を設定する。サブリモコン１４ｂは、データ受信完了信号を受信すると、エアコン１２ａの最新の運転状態示す状態情報を送信するように要求する状態情報送信要求信号をエアコン１２ａに送信する（ステップＳ１４）。これに対し、エアコン１２ａは、エアコン制御部８４ａ内の不図示のメモリに格納されている最新の状態情報をリモコン１４ｂに送信する。リモコン１４ｂは、エアコン１２ａの状態情報を受信すると（ステップＳ１６）、状態情報を受信したことをエアコン１２ａに知らせる情報受信完了信号をリモコン１２ａに送信する（ステップＳ１８）。
【００２９】
そして、操作禁止期間中にメインリモコン１４ａがエアコン１２ａに対し設定変更データを送信すると（ステップＳ２０）、エアコン１２ａのエアコン制御部８４ａは、メインリモコン１４ａに対して操作禁止中であることを知らせる操作禁止中信号を送信する（ステップＳ２２）。メインリモコン１４ａは、操作禁止中信号を受信すると、リモコン制御部９６ａが液晶表示部９２ａに操作禁止期間中で通信ができないことを知らせる画面を表示させる。
【００３０】
その後は、メインリモコン１４ａのＬＣＤ消灯中にエアコン１２ａの運転状態が変更された可能性があるため、エアコン１２ａの運転状態を更新するため、メインリモコン１４ａからエアコン１２ａに対して状態情報送信要求を行い（ステップＳ２４）、エアコン１２ａからメインリモコン１４ａに状態情報を送信すると（ステップＳ２６）、メインリモコン１４ａから情報受信完了の信号が送信される（ステップＳ２８）。
【００３１】
この時のメインリモコン１４ａの液晶表示部９２ａの表示遷移図は、図５に示すようなものとなる。つまり、メインリモコン１４ａのＬＣＤ消灯中に他のリモコンから設定温度が２６℃に設定変更されていた場合に、ユーザがメインリモコン１４ａのいずれかの操作ボタンを操作すると、これをトリガーとして電源供給が再開され、液晶表示部９２ａを表示させると共に、リモコンの送受信部９０ａの動作をオンする。ここでユーザが温度ボタン２８ａを操作すると、設定温度を２８℃にする設定変更画面が表示され、設定変更データを送信していることを示す「通信中」が表示される。
【００３２】
そして、エアコン１２ａのエアコン制御部８４ａは、メインリモコン１４ａから設定変更データが送信されてきても、サブリモコン１４ｂによる操作禁止期間中であることから、信号を受け付けずに、操作禁止中であることを示す信号をメインリモコン１４ａに送信する。操作禁止中信号を受信したメインリモコン１４ａのリモコン制御部９６ａは、液晶表示部９２ａに、図５に示すようなイラストと、「別リモコンから操作中：しばらくしてから再度設定してください」という文字を表示した画面を５．５秒間表示させる。その間に、メインリモコン１４ａのリモコン制御部９６ａは、エアコン１２ａの最新の運転状態を示す状態情報を取得することで、最新のエアコン１２ａの運転状態である設定温度が２６℃に設定され、冷房モードであることを示す画面を液晶表示部９２ａに表示させる。
【００３３】
操作禁止期間のため設定変更できなかったメインリモコン１４ａは、図４に示すように、再度設定変更データの送信を試み（ステップＳ３０）、操作禁止期間中でなければエアコン１２ａ側で設定変更データを受け付け、データ受信完了信号を送信する（ステップＳ３２）。エアコン１２ａ側では、データ受信完了信号の送信時から、メインリモコン１４ａによる操作禁止期間が開始される。その後、メインリモコン１４ａは、エアコン１２ａに対し状態情報送信要求を行い（ステップＳ３４）、エアコン１２ａから状態情報が送信される（ステップＳ３６）。メインリモコン１４ａが状態情報を受信すると、メインリモコン１４ａは情報受信が完了したことを示す信号をエアコン１２ａに送信する（ステップＳ３８）一連の動作が行われる。これにより、メインリモコン１４ａは、エアコン１２ａに対して設定変更を行うことができると共に、その設定変更によって変更されたエアコン１２ａの運転状態を示す状態情報を取得して液晶表示部９２ａに表示することができる。
【００３４】
次に、メインリモコン１４ａによる操作禁止期間中に、サブリモコン１４ｂからエアコン１２ａに対し設定変更データを送信する場合について説明する。まず、サブリモコン１４ｂの液晶表示部９２ｂには、図６に示すように、サブリモコン１４ｂから見たメイン機であるエアコン１２ｂの運転状態が示される。ここでは、リビングにあるエアコン１２ｂが停止状態で、室内温度が１０℃であることを示している。この間に、エアコン１２ａをメイン機として登録しているリモコンであるメインリモコン１４ａによって冷房運転開始の設定変更操作が行われると、メインリモコン１４ａによる操作禁止期間（２分２０秒間）が設定される。この時、サブリモコン１４ｂのユーザがエアコン１２ａを操作する場合は、図６に示すように、サブリモコン１４ｂの登録エアコンボタン７０ｂを操作すると、エアコン１２ａに対して操作開始信号が送信される（ステップＳ４０）。その際、リモコンの表示画面は登録エアコン操作画面へと移行する。エアコン１２ａは、メインリモコン１４ａによって操作禁止期間中であるため、サブリモコン１４ｂからの操作開始信号を受け付けずに、サブリモコン１４ｂに対して操作禁止中であることを知らせる操作禁止中信号を送信する（ステップＳ４２）。これにより、サブリモコン１４ｂの液晶表示部９２ｂには、図６に示す登録エアコン操作画面に、ダイニングのエアコン１２ａが操作禁止中であることが表示されるので、サブリモコン１４ｂのユーザは、エアコン１２ａに対して時間をおいて再度操作するか、操作を中止するかを選択することができる。
【００３５】
登録エアコン操作画面とは、リモコンにサブ機として登録されているエアコンの一覧や状態情報を表示する画面である。例えば、リモコン１４ａとエアコン１２ａがお互いにメイン機として登録され、リモコン１４ａとエアコン１２ｂがお互いにサブ機として登録されている場合、登録エアコンボタン７０ａを操作しなければ、リモコン１４ａの表示部９２ａにはエアコン１２ａの状態情報が表示される。ここで登録エアコンボタン７０ａが操作されると、リモコン１４ａにサブ機として登録されているエアコンの操作画面に移行する。この操作画面では、サブ機として登録されているエアコンの選択や操作が可能となっている。
【００３６】
ダイニングのエアコン１２ａを再度操作する場合は、サブリモコン１４ｂの上昇ボタン６２ｂあるいは下降ボタン６４ｂを使って操作メニューの「ダイニングのエアコンを操作」にカーソルを合わせ、確定ボタン６８ｂを操作することで不図示のエアコン１２ａの操作画面が表示され、操作が可能になる。その場合のサブリモコン１４ｂとエアコン１２ａとの間の信号のやり取りは、図４のステップＳ１０〜ステップＳ１８に示す手順と同じである。
【００３７】
登録エアコン操作画面での操作が終了すると、図６に示すように、リモコン１４ｂのメイン機であるエアコン１２ｂの運転状態を示す最初の画面に戻る。なお操作禁止期間中であっても、外出する際などに全ての部屋の空気調和機本体をまとめて停止する場合などがあるため、停止信号は受け付けるなど、一部の操作は受け付けるようにしても良い。
【００３８】
このように、本実施例にかかる空気調和機にあっては、一つのリモコンがエアコンに対して設定変更操作を開始してから一定の期間、他のリモコンからの信号を受け付けないようにする操作禁止期間を設けることで、エアコン側の設定が頻繁に変更されたり、１つのリモコンからの設定が終わらないうちに他のリモコンにより設定変更が行われたりするのを防止することができる。
【００３９】
また、本実施例にかかる空気調和機にあっては、運転操作されるエアコンに対しメイン機として登録されたメインリモコンと、サブ機として登録されたサブリモコンのいずれからでも運転操作可能としている。メインリモコンの場合はメイン機のみの運転状態を表示すれば良いが、サブリモコンの場合はサブ機として登録された複数の機器の運転状態を表示する必要がある。そこで、リモコンにサブ機として登録されているエアコンの一覧や状態情報を表示する画面（登録エアコン操作画面）に移行する際に状態情報を取得し、サブ機の運転状態を登録エアコン操作画面に表示することで、操作禁止期間中かどうかの表示を明確に表示することができる。例えば、メインリモコンの場合は、操作禁止中の表示を全画面に一定時間表示できるが、サブリモコンの場合は、操作禁止中の表示を登録エアコン操作画面で他のサブエアコンの状態情報と併記して表示するようにする。
【産業上の利用可能性】
【００４０】
以上のように、本発明にかかる空気調和機は、空気調和機本体を運転操作可能な複数の無線リモコンを備えた空気調和機に有用であり、特に、その無線リモコンが一定時間操作されない場合に無線リモコンの電力を低減するようにした空気調和機に適している。
【符号の説明】
【００４１】
１０  空気調和機
１２ａ，１２ｂ  エアコン（空気調和機本体）
１４ａ，１４ｂ  リモコン（無線リモコン）
１６ａ，１６ｂ  表示部
１８ａ，１８ｂ  十字ボタン
２０ａ、２０ｂ  決定ボタン
２２ａ，２２ｂ  おまかせボタン
２４ａ，２４ｂ  おこのみボタン
２６ａ，２６ｂ  運転／停止ボタン
２８ａ，２８ｂ  温度ボタン
３０ａ，３０ｂ  風量ボタン
３２ａ，３２ｂ  お知らせボタン
３４ａ，３４ｂ  冷房ボタン
３６ａ，３６ｂ  暖房ボタン
３８ａ，３８ｂ  除湿ボタン
４０ａ，４０ｂ  送風ボタン
４２ａ，４２ｂ  蓋
４４ａ，４４ｂ  操作ボタン
４６ａ，４６ｂ  自動運転ボタン
４８ａ，４８ｂ  おやすみボタン
５０ａ，５０ｂ  ランドリーボタン
５２ａ，５２ｂ  ハイパワーボタン
５４ａ，５４ｂ  電流カットボタン
５６ａ，５６ｂ  不在ＥＣＯボタン
５８ａ，５８ｂ  タイマーボタン
６０ａ，６０ｂ  機能ボタン
６２ａ，６２ｂ  上昇ボタン
６４ａ，６４ｂ  下降ボタン
６６ａ，６６ｂ  取消ボタン
６８ａ，６８ｂ  確定ボタン
７０ａ，７０ｂ  登録エアコンボタン
７２ａ，７２ｂ  チャイルドロックボタン
８０ａ，８０ｂ  ＬＥＤ表示部
８２ａ，８２ｂ  操作部
８４ａ，８４ｂ  エアコン制御部
８６ａ，８６ｂ  エアコン送受信部
８８ａ，８８ｂ  ＲＴＣ
９０ａ，９０ｂ  リモコン送受信部
９２ａ，９２ｂ  液晶表示部
９４ａ，９４ｂ  操作部
９６ａ，９６ｂ  リモコン制御部
９８ａ，９８ｂ  ＲＴＣ
【図１】
2015106760.tif 000003
【図２−１】
2015106760.tif 000004
【図２−２】
2015106760.tif 000005
【図３】
2015106760.tif 000006
【図４】
2015106760.tif 000007
【図５】
2015106760.tif 000008
【図６】
2015106760.tif 000009